【事件の表示】
　特願２００４−　　８８３７「座席の暖房装置」拒絶査定不服審判事件〔平成１６年　９月　９日出願公開、特開２００４−２４９０９２号〕について、次のとおり審決する。
【結　論】
　本件審判の請求は、成り立たない。
【理　由】
第１　手続の経緯
　本願は，平成１６年１月１６日の出願であって，平成１７年３月１８日付けで拒絶査定がなされ，これに対し，平成１７年４月２０日に拒絶査定に対する審判請求がなされるとともに，平成１７年５月１０日付けで手続補正がなされたものである。
　
第２　平成１７年５月１０日付け手続補正についての補正却下の決定
　
【補正却下の決定の結論】
　平成１７年５月１０日付け手続補正を却下する。
　
【理由】
１．補正後の請求項１及び請求項２に記載された発明
　平成１７年５月１０日付け手続補正書により補正された特許請求の範囲の請求項１に記載された発明（以下，「本件補正発明１」という。）及び請求項２に記載された発明（以下，「本件補正発明２」という。）は，以下のとおりのものである。
「【請求項１】
　
細長状の
と該電気抵抗体の両側に位置する細長状の
前端側から後端側に向けて連続するように左右一対配設し、左右一対の前記ヒーターを、両者の離間距離を後端側に行くほど小さくして内側に位置する前記電極の後端同士を接合させることによりＶ字状に配設し、後端側を除く前記ヒーターを前記座部パッドの座面に位置させることにより、左右一対の前記ヒーターを前記座面にハ字状に
「【請求項２】
　
前記座部パッドに配設される前記ヒーターの前記電気抵抗体の幅を、前記座部パッドの前端側に行くほど狭くなるようにした
１
（下線部は補正箇所。）
　
（１）本件補正発明１について
　上記請求項１についての補正は，補正前の請求項１に記載した発明を特定するために必要な事項である「電気抵抗体」について「細長状の」と限定するものであって，同様に，「電極」について「該電気抵抗体の両側に位置する細長状の」と，「ヒータ」について「座部パッドの後端側から前端側にかけて連続させることによって細長状に配設し」としていたものを「座部パッドの前端側から後端側に向けて連続するように左右一対配設し，左右一対の前記ヒーターを、両者の離間距離を後端側に行くほど小さくして内側に位置する前記電極の後端同士を接合させることによりＶ字状に配設し、後端側を除く前記ヒーターを前記座部パッドの座面に位置させることにより、左右一対の前記ヒーターを前記座面にハ字状に配設し」と限定するものである。そして，補正前の請求項１に記載された発明と本件補正発明１の産業上の利用分野及び解決しようとする課題が同一であることから，上記請求項１についての補正は，特許法第１７条の２第４項第２号の特許請求の範囲の減縮を目的とするものに該当する。
　そこで，本件補正発明１が特許出願の際独立して特許を受けることができるものであるか（特許法第１７条の２第５項で準用する同法第１２６条第５項の規定に適合するか）について，以下の「２．」〜「４．」において検討する。　
　
（２）本件補正発明２について
　上記請求項２についての補正は，上記「１．（１）」で示した限定に加えて，補正前の請求項１に記載した発明を特定するために必要な事項である「電気抵抗体」について「前記座部パッドに配設される前記ヒーターの」と限定し，「前記電気抵抗体の幅」について「前記座部パッドの前端側に行くほど狭くなるようにした」と限定するものである。
　請求項２は請求項１の従属項であるので，本件補正発明２は，「左右一対の前記ヒーターを、両者の離間距離を後端側に行くほど小さくして内側に位置する前記電極の後端同士を接合させることによりＶ字状に配設し」という事項と「前記座部パッドに配設される前記ヒーターの前記電気抵抗体の幅を、前記座部パッドの前端側に行くほど狭くなるようにしたこと」という事項とを，発明を特定するために必要な事項として同時に併せもつこととなる。
　確かに，前者については，願書に最初に添付した明細書の「実施形態１２」，すなわち段落【０１０７】から段落【０１１４】，【図３６】及び【図３７】に記載した事項の範囲内において，他方，後者については，願書に最初に添付した明細書の「実施形態１３」，すなわち段落【０１１５】から段落【０１１９】，【図３８】及び【図３９】に記載した事項の範囲内において，それぞれ限定されたものであると認められる。
　しかしながら，前者及び後者を同時に併せもつ本件補正発明２については，願書に最初に添付した明細書，特許請求の範囲又は図面に記載した事項のいずれにも記載されていない。
　よって，上記請求項２についての補正は，願書に最初に添付した明細書，特許請求の範囲又は図面に記載した事項の範囲内においてなされたものではなく，特許法第１７条の２第３項の規定に違反する。
　
２．引用刊行物及びその記載事項
　刊行物１：特開２００３−１５７９５８号公報
　刊行物２：実願昭６３−２１２５７号（実開平１−１２６１４９号）のマ　　　　　　イクロフィルム
（１）刊行物１について
　刊行物１には以下の事項が記載されている。
（ア）「【請求項１】  フレキシブル性と伸縮性を有する基材と、前記基材の表面に導電性材料からなる一対の電極部と、前記一対の電極部と電気的に接続された自己温度制御機能を有する抵抗体材料からなる発熱部とを備え、前記基材は少なくとも前記導電性材料からなる電極部および前記抵抗体材料からなる発熱部が含浸する含浸層と含浸しない非含浸層を設けてなる面状発熱体。」（【特許請求の範囲】の【請求項１】）
（イ）「【０００１】【発明の属する技術分野】本発明は、電気カーペット、電気毛布、床暖房パネル、車載用シートヒーター等の電気暖房器具に用いられる面状発熱体に関するものである。」（段落【０００１】）
（ウ）「【０００２】【従来の技術】従来、この種の面状発熱体としては、例えば図６に示すように、ポリエステルフィルム等の樹脂フィルムからなる基材１５と、基材１５上に銀ペースト等の導電性材料を塗布することにより形成された一対の電極部１３ａ、１３ｂと、一対の電極部１３ａ、１３ｂに電気的に接続するように一対の電極部１３ａ、１３ｂの全体あるいは一部を覆うように自己温度制御機能を有する抵抗体材料を塗布することにより形成された発熱部１４で構成されている。２０は電源であり、２１は接続端子でハトメとメガネ端子等が使用される。２２は接続線でリード線等が使用される。
【０００３】この構成において、電流は、電源２０から接続線２２、接続端子２１を通り、電極部１３ａ、１３ｂに供給される。図７は、図６に示す面状発熱体のＡ−Ａ断面図であり、電極部１３ａと１３ｂの間に生じた電位差によって電流ｉが流れることにより発熱部１４が発熱するようになっている。なお、発熱部１４を形成している自己温度制御機能を有する抵抗体材料は、通電により発熱部１４の温度が上昇して、ある温度に到達すると抵抗値が急激に増加し、発熱量を抑えて自己温度調節を行うという特性を備えている。」（段落【０００２】−段落【０００３】）
（エ）「【００２６】図１において、１は不織布よりなる含浸層であり、ポリウレタン系樹脂シートよりなる非含浸層２とラミネートにより接着されて基材５を形成している。
【００２７】この基材５の含浸層１の側から銀ペーストからなる導電性材料を塗布し、一対の電極部３ａ、３ｂを構成している。導電性材料は含浸層１に含浸しており、非含浸層２の表面まで達している。
【００２８】さらに、一対の電極部３ａ、３ｂの全面あるいは一部を覆うようにしながら電極部３ａ、３ｂの間に抵抗体材料を塗布し、発熱部４を構成している。抵抗体材料も含浸層１に含浸し、非含浸層２の表面まで達している。一対の電極部３ａ、３ｂは全面あるいは一部が発熱部４で覆われているので、電気的に接続された状態となっている。抵抗体材料は、樹脂材料にカーボンを混合してなるＰＴＣ材料であり、発熱して温度が上昇し、ある温度に達すると電気抵抗値が急激に増加して発熱量を抑制する自己温度制御特性を有している。」（段落【００２６】−段落【００２８】）
（オ）【図６】には，以下の事項が図示されている。
「細長状の抵抗体材料からなる発熱部１４と該発熱部１４の両側に位置する細長状の電極部１３ａ，１３ｂとを備えたＰＣＴ特性を有するフレキシブルな面状発熱体。」
（カ）【図８】には，以下の事項が図示されている。
「座部に配設された面状発熱体２４。」
　上記記載事項（ア）−（エ），及び，図示事項（オ），（カ）によれば，刊行物１には「細長状の抵抗体材料からなる発熱部１４と該発熱部１４の両側に位置する細長状の電極部１３ａ，１３ｂとを備えたＰＣＴ特性を有するフレキシブルな面状発熱体を，座部に配設したシートの電気暖房器具。」（以下，「引用発明１」という。）が記載されている。
　
（２）刊行物２について
　刊行物２には以下の事項が記載されている。
（ア）「（１）座る人の腿および臀部が当たるシート所定領域に、ヒータ回路を形成するフレキシブルプリント配線板を配置したことを特徴とするヒータ内蔵シート。」（第１頁の「２．実用新案登録請求の範囲」）
（イ）「［産業上の利用分野］本考案はヒータを内蔵するシートに関する。なお，ここでシートとは、自動車用のシートや座布団は勿論、家庭用の一般的な座布団やクッションあるいは座椅子も含む意味である。」（第１頁第１０−１４行）
（ウ）「図に示されるように、シートクッション１０ａには、座る人の両腿および臀部が当たる領域に対応させてＦＰＣヒータ２０Ａ，２０Ｂ，２０Ｃを配置し、シートバック１０ｂには、腰部が当たる領域に対応させてＦＰＣヒータ２０Ｄを配置している。なおＦＰＣヒータ２０の貼り付け位置は、シートに座る人の好みに応じ、あるいは大人と子供の場合に応じて、その位置は自由に変えることができる。」（第３頁第２０行−第４頁第８行）
（エ）第３図には，以下の事項が図示されている。
「ＦＰＣヒータ２０Ａ，２０Ｂを座る人の両腿部に沿うようにシートの前端側から後端側に向けて連続するように左右一対配設するとともに，ＦＰＣヒータ２０Ｃを座る人の臀部に沿うように配設したヒータ内蔵シート。」
　上記記載事項（ア）−（ウ），及び図示事項（エ）によれば，刊行物２には，「ＦＰＣヒータ２０Ａ，２０Ｂを座る人の両腿部に沿うようにシートの前端側から後端側に向けて連続するように左右一対配設するとともに，ＦＰＣヒータ２０Ｃを座る人の臀部に沿うように配設したヒータ内蔵シート。」（以下，「引用発明２」という。）が記載されている。
　　
３．対比
　本件補正発明１と引用発明１とを対比すると，その発明の機能・作用からみて，後者の「抵抗体材料からなる発熱部１４」は前者の「電気抵抗体」に相当し，以下同様に，後者の「電極部１３ａ，１３ｂ」は「電極」に，後者の「面状発熱体」は前者の「ヒーター」に，後者の「座部」は前者の「座部パッド」に，後者の「シート」は前者の「座席」に，後者の「電気暖房器具」は前者の「暖房装置」にそれぞれ相当する。
　してみれば，本件補正発明１と引用発明１とは，「細長状の電気抵抗体と該電気抵抗体の両側に位置する細長状の電極とを備えたＰＴＣ特性を有するフレキシブルなヒーターを座部パッドに配設した座席の暖房装置。」である点で一致し，以下の点で相違する。
　
（相違点）「ヒーター」について，本件補正発明１は「着座者の身体接触部に沿うように座部パッドの前端側から後端側に向けて連続するように左右一対配設し，左右一対の前記ヒーターを、両者の離間距離を後端側に行くほど小さくして内側に位置する前記電極の後端同士を接合させることによりＶ字状に配設し、後端側を除く前記ヒーターを前記座部パッドの座面に位置させることにより、左右一対の前記ヒーターを前記座面にハ字状に配設し」たのに対し，引用発明１はそうではない点。
　
４．判断
　引用発明２は，ヒータ内蔵シートにおいて，「ＦＰＣヒータ２０Ａ，２０Ｂを座る人の両腿部に沿うようにシートの前端側から後端側に向けて連続するように左右一対配設し」たものである。本件補正発明１と引用発明２とを対比すると，その発明の機能・作用からみて，後者の「ＦＰＣヒータ２０Ａ，２０Ｂ」及び「ＦＰＣヒータ２０Ｃ」は前者の「ヒーター」に相当し，以下同様に，後者の「座る人」は前者の「着座者」に，後者の「両腿部」及び「臀部」は前者の「身体接触部位」に，後者の「シート」は前者の「座部パッド」にそれぞれ相当する。してみれば，引用発明２には，ヒータ内蔵シートにおいて「ヒーターを着座者の身体接触部位（両腿部）に沿うように座部の前端側から後端側に向けて連続するように左右一対配設するとともに，第３のヒーターを着座者の身体接触部位（臀部）に沿うように配設し」たことが示されているといえる。
　引用発明１において，引用発明２を適用して，「ヒーターを着座者の身体接触部位（両腿部）に沿うように座部の前端側から後端側に向けて連続するように左右一対配設するとともに，別のヒーターを着座者の身体接触部位（臀部）に沿うように配設」することは，「座席の暖房装置」と「ヒータ内蔵シート」という同一技術分野における従来公知の技術的事項の単なる適用に過ぎないので，当業者にとって何ら困難性はない。
　ここで，人体の構造上，臀部と両腿部が連続していること，臀部（或いは股部）を中心として両腿（両脚）がハ字状に広がっていることは公然知られた事実であること，また，機械・電気分野において，部品点数を減少させるため複数の部品を共通化することや配線を簡素化するため複数の配線を共通化することは従来周知の技術（技術課題及びその解決手段）であることをかんがみれば，身体接触部位である両腿部と臀部との両方を加温するために，３つのヒーターを配設するかわりに，ヒータを２つとし，この２つのヒーターをハ字状にそれぞれ腿部から臀部の連続する線に沿って配設することを検討することは，当業者であれば当然考慮すべき事項であり，またその際，臀部に対応する箇所で２つのヒータを離間させるか否か，配線を簡素化するため該電極の後端同士を接合（共通化）してＶ字状に配設するか否かは，実施する際に必要に応じて決定することのできる単なる設計事項に過ぎない。
　以上を総合すれば，引用発明１において，引用発明２及び従来周知の技術を勘案して，「ヒータを，着座者の身体接触部位に沿うように座部の前端側から後端側に向けて連続するように左右一対配設」し，「左右一対の前記ヒーターを、両者の離間距離を後端側に行くほど小さくして内側に位置する前記電極の後端同士を接合させることによりＶ字状に配設し、後端側を除く前記ヒーターを前記座部パッドの座面に位置させることにより、左右一対の前記ヒーターを前記座面にハ字状に配設」することは，当業者が容易になし得たことである。
　したがって，本件補正発明１は，上記刊行物１及び２に記載された発明及び従来周知の技術に基づいて当業者が容易に発明をすることができたものであるから，特許法第２９条第２項の規定により特許を受けることができない。
　
５．むすび
　以上のとおり，本件補正は，特許法第１７条の２第５項で準用する同法第１２６条第５項の規定に，また，同法第１７条の２第３項の規定に違反するものであり，特許法第１５９条第１項で読み替えて準用する同法第５３条第１項の規定により却下すべきものである。
　　
第３　本願発明について
１．本願発明
　平成１７年５月１０日付けの手続補正は上記のとおり却下されたので，本願の請求項１に係る発明（以下，「本願発明」という。）は，平成１６年１２月１０日付け手続補正書の特許請求の範囲の請求項１に記載された次のとおりのものである。
「電気抵抗体及び電極を備えたＰＴＣ特性を有するフレキシブルなヒーターを、着座者の身体接触部位に沿うように座部パッドの後端側から前端側にかけて連続させることによって細長状に配設したことを特徴とする座席の暖房装置。」
　
２．引用刊行物及びその記載事項
　原査定の拒絶の理由に引用した引用例，及びその記載事項は前記「第２　２．」に記載したとおりである。
　
３．対比・判断
　本願発明は，前記「第２」で検討した本願補正発明から「電気抵抗体」の限定事項である「細長状の」との構成を省き，以下同様に，「電極」の限定事項である「該電気抵抗体の両側に位置する細長状の」との構成を，「ヒータ」の限定事項である「座部パッドの前端側から後端側に向けて連続するように左右一対配設し，左右一対の前記ヒーターを、両者の離間距離を後端側に行くほど小さくして内側に位置する前記電極の後端同士を接合させることによりＶ字状に配設し、後端側を除く前記ヒーターを前記座部パッドの座面に位置させることにより、左右一対の前記ヒーターを前記座面にハ字状に配設し」という限定を「座部パッドの後端側から前端側にかけて連続させることによって細長状に配設し」として一部省いたものである。
　そうすると，本願発明を特定するために必要な事項を全て含み，さらに他の事項を付加したものに相当する本件補正発明１が，前記「第２　４．」に記載したとおり，刊行物１及び２に記載された発明及び従来周知の技術に基づいて，当業者が容易に発明をすることができたものであるから，本願発明も，同様の理由により，刊行物１及び２に記載された発明及び従来周知の技術に基づいて，当業者が容易に発明をすることができたものである
　
４．むすび
　以上のとおり，本願発明は，上記刊行物１及び２に記載された発明及び従来周知の技術に基づいて，当業者が容易に発明をすることができたものであるから，特許法第２９条第２項の規定により特許を受けることができない。
　
　よって，結論のとおり審決する。